(57)【要約】【課題】  簡単な構造で設備機器とドレン処理機器との間で圧力のバランスが図られるドレン処理装置を提供する。【解決手段】  熱交換器２の底部とドレンタンク３の頂部とをドレン流下管４により接続する。ドレン流下管４はバランス管接続管５を有し、バランス管接続管５はバランス管接続部６と連通管接続部７と両部を内部で接続する連通路８とを有する。ドレンタンク３の頂部とバランス管接続部６とをバランス管９により接続し、連通管接続部７と熱交換器２の下部とをドレン流下管４内を貫通する連通管１０により接続する。熱交換器２のドレン水位が連通管８の熱交換器２側開口端よりも下方であれば、バランス管９と連通路８と連通管１０とにより熱交換器２とドレンタンク３との間で圧力のバランスが図られ、熱交換器２からのドレンをドレンタンク３にドレン流下管４を通してスムーズに流下させることができる。【選択図】      図１
2010203654.tif 000002
【特許請求の範囲】
【請求項１】
設備機器からのドレンをドレン処理機器にドレン流下管を通して流下させるドレン処理装置において、ドレン処理機器とドレン流下管とを接続するバランス管を設けると共に、バランス管のドレン流下管側を設備機器に接続する連通管をドレン流下管内を通して設けたことを特徴とするドレン処理装置。
【請求項２】
連通管の設備機器側端に連通管から設備機器への気体の流れを許容し設備機器から連通管へのドレンの流れを阻止する部材を設けたことを特徴とする請求項１に記載のドレン処理装置。
【請求項３】
連通管の設備機器側端に連通管から設備機器への気体の流れを許容し設備機器から連通管へのドレンの流れを阻止する部材として逆止弁や疎水性多孔質膜や逆Ｕ字カバーを用いたことを特徴とする請求項２に記載のドレン処理装置。
【発明の詳細な説明】
【技術分野】
【０００１】
本発明は、圧縮空気やガス配管系に設置される設備機器からの凝縮水や蒸気配管系に設置される設備機器からの復水等の各種設備機器からのドレンをドレンタンクやドレントラップやドレン圧送ポンプ等の各種ドレン処理機器にドレン流下管を通して流下させるドレン処理装置に関する。
【背景技術】
【０００２】
従来のドレン処理装置は、例えば特許文献１に開示されている。これは、蒸気配管系に設置される設備機器としての熱交換器からのドレンをドレン処理機器としてのドレンタンクにドレン流下管を通して流下させるドレン処理装置において、ドレンタンクと熱交換器とを接続するバランス管を設けたものであり、バランス管により熱交換器とドレンタンクとの間で圧力のバランスが図られ、熱交換器からのドレンをドレンタンクにドレン流下管を通してスムーズに流下させることができるものである。
【先行技術文献】
【特許文献】
【０００３】
【特許文献１】特開２００８−１７５０７２
【発明の概要】
【発明が解決しようとする課題】
【０００４】
上記従来のドレン処理装置は、設備機器としての圧力容器である熱交換器にバランス管を接続するものであるが、既設の設備機器はバランス管の接続部を備えていない構造のものが多く、また後からバランス管の接続部を設けることが困難な構造のものが多いために、設備機器にバランス管を接続することが困難であるという問題点があった。
【０００５】
したがって本発明が解決しようとする課題は、簡単な構造で設備機器とドレン処理機器との間で圧力のバランスが図られるドレン処理装置を提供することである。
【課題を解決するための手段】
【０００６】
上記の課題を解決するために、本発明のドレン処理装置は、設備機器からのドレンをドレン処理機器にドレン流下管を通して流下させるドレン処理装置において、ドレン処理機器とドレン流下管とを接続するバランス管を設けると共に、バランス管のドレン流下管側を設備機器に接続する連通管をドレン流下管内を通して設けたことを特徴とするものである。
【０００７】
本発明において、連通管の設備機器側端に連通管から設備機器への気体の流れを許容し設備機器から連通管へのドレンの流れを阻止する部材を設けた構造であってもよい。
【０００８】
本発明において、連通管の設備機器側端に連通管から設備機器への気体の流れを許容し設備機器から連通管へのドレンの流れを阻止する部材としては逆止弁や疎水性多孔質膜や逆Ｕ字カバーを用いた構造とすることができる。
【発明の効果】
【０００９】
本発明によれば、ドレン処理機器とドレン流下管とを接続するバランス管を設けると共に、バランス管のドレン流下管側を設備機器に接続する連通管をドレン流下管内を通して設けるので、設備機器のドレン水位が連通管の設備機器側開口端よりも下方であれば、バランス管と連通管による簡単な構造により設備機器とドレン処理機器との間で圧力のバランスが図られ、設備機器からのドレンをドレンタンクにドレン流下管を通してスムーズに流下させることができるという効果を奏する。
【００１０】
さらに本発明によれば、連通管の設備機器側端に連通管から設備機器への気体の流れを許容し設備機器から連通管へのドレンの流れを阻止する逆止弁や疎水性多孔質膜や逆Ｕ字カバーを用いた構造の部材を設けるので、設備機器のドレン水位が連通管の設備機器側開口端よりも上方となっても、設備機器のドレン水位からドレン流下管のドレン処理機器への開口端までの水頭圧に相当する力がバランス管から連通管を通して逆止弁や疎水性多孔質膜や逆Ｕ字カバーを用いた構造の部材に作用し、設備機器のドレンが連通管へ流入することを防止してドレン処理機器の気体をバランス管から連通管を通して設備機器へ確実に流すことができ、設備機器からのドレンをドレンタンクにドレン流下管を通してスムーズに流下させることができるという効果を奏する。
【図面の簡単な説明】
【００１１】
【図１】本発明の実施の形態に係わるドレン処理装置の概略構成図である。
【図２】図１の連通管に代えて用いる連通管の熱交換器側端を拡大して示す図である。
【図３】図１の連通管に代えて用いる別の連通管の熱交換器側端を拡大して示す図である。
【図４】図１の連通管に代えて用いるさらに別の連通管の熱交換器側端を拡大して示す図である。
【図５】本発明の別の実施の形態に係わるドレン処理装置の概略構成図である。
【図６】図５の連通管の熱交換器側端を拡大して示す図である。
【発明を実施するための形態】
【００１２】
以下、本発明の実施の形態について、図1を参照して説明する。図１は本発明のドレン処理装置１を蒸気配管系に設置される設備機器としての熱交換器２からのドレンをドレン処理機器としてのドレンタンク３にドレン流下管４を通して流下させるドレン処理装置に適用したものである。熱交換器２の底部とドレンタンク３の頂部とをドレン流下管４により接続する。ドレン流下管４は熱交換器２側にバランス管接続管５を有する。バランス管接続管５は横向きに開口するバランス管接続部６と、上向きに開口する連通管接続部７と、バランス管接続部６と連通管接続部７とをバランス管接続管６内で連通する連通路８と、を有する。
【００１３】
ドレンタンク３の頂部とバランス管接続管５のバランス管接続部６とをバランス管９により接続し、バランス管接続管５の連通管接続部７と熱交換器２の下部とをドレン流下管４内を上向きに貫通する連通管１０により接続することにより、ドレンタンク３の頂部と熱交換器２の下部とをバランス管９と連通路８と連通管１０とにより接続する。
【００１４】
ドレンタンク３の頂部と熱交換器２の下部とをバランス管９と連通路８と連通管１０とにより接続するので、熱交換器２のドレン水位が連通管８の熱交換器２側開口端よりも下方であれば、バランス管９と連通路８と連通管１０とにより熱交換器２とドレンタンク３との間で圧力のバランスが図られ、熱交換器２からのドレンをドレンタンク３にドレン流下管４を通してスムーズに流下させることができる。
【００１５】
本発明の別の実施の形態について、図２を参照して説明する。図２は図１の連通管１０に代えて用いる連通管２０の熱交換器２側端を拡大して示すものである。連通管２０の熱交換器２側端である上端に連通管２０から熱交換器２への気体の流れを許容し熱交換器２から連通管２０へのドレンの流れを阻止する逆止弁２１を設ける。逆止弁２１は連通管２０の上部に溶接により固着した弁ケース２２と、連通管２０の上端面により形成した環状弁座２３と、環状弁座２３を開閉するディスク状弁体２４とにより構成する。弁ケース２２の周壁には内外を連通する数個の開口２５を設ける。
【００１６】
連通管２０の熱交換器２側端である上端に連通管２０から熱交換器２への気体の流れを許容し熱交換器２から連通管２０へのドレンの流れを阻止する逆止弁２１を設けるので、熱交換器２のドレン水位が連通管２０の熱交換器２側開口端よりも上方となっても、熱交換器２のドレン水位からドレン流下管４のドレンタンク３への開口端までの水頭圧に相当する力がバランス管９と連通路８と連通管２０を通して逆止弁２１のディスク状弁体２４の下面に作用し、ディスク状弁体２４が上昇して環状弁座２３を開き、熱交換器２のドレンが連通管２０へ流入することを防止してドレンタンク３の気体をバランス管９と連通路８と連通管２０を通して熱交換器２へ確実に流すことができ、熱交換器２からのドレンをドレンタンク３にドレン流下管４を通してスムーズに流下させることができる。
【００１７】
本発明の別の実施の形態について、図３を参照して説明する。図３は図１の連通管１０に代えて用いる別の連通管３０の熱交換器２側端を拡大して示すものである。連通管３０の熱交換器２側端である上端に連通管３０から熱交換器２への気体の流れを許容し熱交換器２から連通管３０へのドレンの流れを阻止する疎水性多孔質膜３１を設ける。疎水性多孔質膜３１は連通管３０の上部の内向きフランジ３２の上にスナップリング３３により固定する。疎水性多孔質膜３１の材料としてはポリテトラフルオロエチレン等のフッ素樹脂、ポリプロピレンやポリエチレン等のポリオレフィン、ポリウレタン、シリコーン樹脂などが挙げられる。
【００１８】
連通管３０の熱交換器２側端である上端に連通管３０から熱交換器２への気体の流れを許容し熱交換器２から連通管３０へのドレンの流れを阻止する疎水性多孔質膜３１を設けるので、熱交換器２のドレン水位が連通管３０の熱交換器２側開口端よりも上方となっても、熱交換器２のドレン水位からドレン流下管４のドレンタンク３への開口端までの水頭圧に相当する力がバランス管９と連通路８と連通管３０を通して疎水性多孔質膜３１の下面に作用し、熱交換器２のドレンが連通管３０へ流入することを防止してドレンタンク３の気体をバランス管９と連通路８と連通管３０を通して熱交換器２へ確実に流すことができ、熱交換器２からのドレンをドレンタンク３にドレン流下管４を通してスムーズに流下させることができる。
【００１９】
本発明の別の実施の形態について、図４を参照して説明する。図４は図１の連通管１０に代えて用いるさらに別の連通管４０の熱交換器２側端を拡大して示すものである。連通管４０の熱交換器２側端である上端に連通管４０から熱交換器２への気体の流れを許容し熱交換器２から連通管４０へのドレンの流れを阻止する逆Ｕ字カバー４１を設けたものである。逆Ｕ字カバー４１は下端が連通管４０の上端よりも下方に伸び、下端から内方に伸びる数本のリブ４２の内端を連通管４０の上部に溶接により固着する。
【００２０】
連通管４０の熱交換器２側端である上端に連通管４０から熱交換器２への気体の流れを許容し熱交換器２から連通管４０へのドレンの流れを阻止する逆Ｕ字カバー４１を設けるので、熱交換器２のドレン水位が連通管４０の熱交換器２側開口端よりも上方となっても、熱交換器２のドレン水位からドレン流下管４のドレンタンク３への開口端までの水頭圧に相当する力がバランス管９と連通路８と連通管４０を通して逆Ｕ字カバー４１の内面に作用し、熱交換器２のドレンが連通管４０へ流入することを防止してドレンタンク３の気体をバランス管９と連通路８と連通管４０を通して熱交換器２へ確実に流すことができ、熱交換器２からのドレンをドレンタンク３にドレン流下管４を通してスムーズに流下させることができる。
【００２１】
本発明の別の実施の形態について、図５と図６を参照して説明する。図５は本発明のドレン処理装置５１を蒸気配管系に設置される設備機器としての熱交換器５２からのドレンをドレン処理機器としてのドレンタンク５３にドレン流下管５４を通して流下させるドレン処理装置に適用したものであり、図６は図５の連通管の熱交換器側端を拡大して示す図である。熱交換器５２の下部とドレンタンク５３の頂部とをドレン流下管５４により接続する。ドレン流下管５４は熱交換器５２側にバランス管接続管５５を有する。バランス管接続管５５は上向きに開口するバランス管接続部５６と、横向きに開口する連通管接続部５７と、バランス管接続部５６と連通管接続部５７とをバランス管接続管５６内で連通する連通路５８と、を有する。
【００２２】
ドレンタンク５３の頂部とバランス管接続管５５のバランス管接続部５６とをバランス管５９により接続し、バランス管接続管５５の連通管接続部５７と熱交換器５２の下部とをドレン流下管５４内を横向きに貫通する連通管６０により接続することにより、ドレンタンク５３の頂部と熱交換器５２の下部とをバランス管５９と連通路５８と連通管６０とにより接続する。
【００２３】
連通管６０の熱交換器５２側端である左端に連通管６０から熱交換器５２への気体の流れを許容し熱交換器５２から連通管６０へのドレンの流れを阻止する逆止弁６１を設ける。逆止弁６１は連通管６０の左部に溶接により固着した弁ケース６２と、連通管６０の左端面により形成した環状弁座６３と、環状弁座６３を開閉するディスク状弁体６４とにより構成する。弁ケース６２の周壁には内外を連通する数個の開口６５を設ける。
【００２４】
連通管６０の熱交換器５２側端である上端に連通管６０から熱交換器５２への気体の流れを許容し熱交換器５２から連通管６０へのドレンの流れを阻止する逆止弁６１を設けるので、熱交換器５２のドレン水位が連通管６０の熱交換器５２側開口端よりも上方となっても、熱交換器５２のドレン水位からドレン流下管５４のドレンタンク５３への開口端までの水頭圧に相当する力がバランス管５９と連通路５８と連通管６０を通して逆止弁６１のディスク状弁体６４の右面に作用し、ディスク状弁体６４が左方向へ移動して環状弁座６３を開き、熱交換器５２のドレンが連通管６０へ流入することを防止してドレンタンク５３の気体をバランス管５９と連通路５８と連通管６０を通して熱交換器５２へ確実に流すことができ、熱交換器５２からのドレンをドレンタンク５３にドレン流下管５４を通してスムーズに流下させることができる。
【００２５】
上記の実施の形態においては、逆止弁としてディスク状逆止弁を例示したが、本発明はこれに限らず、スイング式逆止弁やボール式逆止弁等の他の形式の逆止弁を用いることができる。
【産業上の利用可能性】
【００２６】
本発明は、各種設備機器からのドレンを各種ドレン処理機器にドレン流下管を通して流下させるドレン処理装置に利用することができる。
【符号の説明】
【００２７】
１，５１  ドレン処理装置
２，５２  熱交換器
３，５３  ドレンタンク
４，５４  ドレン流下管
５，５５  バランス管接続管
６，５６  バランス管接続部
７，５７  連通管接続部
８，５８  連通路
９，５９  バランス管
１０，２０，３０，４０，６０  連通管
２１，６１  逆止弁
２４，６４  ディスク状弁体
３１  疎水性多孔質膜
４１  逆Ｕ字カバー
【図１】
2010203654.tif 000003
【図２】
2010203654.tif 000004
【図３】
2010203654.tif 000005
【図４】
2010203654.tif 000006
【図５】
2010203654.tif 000007
【図６】
2010203654.tif 000008